(57)【要約】【課題】  燃料タンクへの燃料供給時の操作性を向上させる。【解決手段】  燃料タンク２０の上方に、燃料タンクを覆って保護する保護カバー２２を設け、該保護カバー２２の上面には、燃料タンク２０の注入部２０ａに対応する位置に開口部２２ｂを設けると共に、開口部２２ｂ近傍に給油量確認窓２２ｄを設けると共に、保護カバー２２の給油量確認窓２２ｄを、燃料タンク２０の注入部２０ａに対応する位置の開口部２２ｂに連続して形成すると共に、燃料タンク２０の上面を前低後高に構成すると共に、給油量確認窓２２ｄを前後方向に長い開口部で形成すると共に、保護カバー２２の側面に燃料タンク２０の燃料の残量を確認するための残量確認窓２２ｅを形成している。【選択図】        図２
2006327510.tif 000002
【特許請求の範囲】
【請求項１】
機体にエンジンと透過性を有する燃料タンクを配設してなる移動農機において、上記燃料タンクの上方に、該燃料タンクを覆って保護する保護カバーを設け、該保護カバーの上面には、上記燃料タンクの注入部に対応する位置に開口部を設けると共に、該開口部近傍に給油量確認窓を設けたことを特徴とする移動農機。
【請求項２】
保護カバーの給油量確認窓を、燃料タンクの注入部に対応する位置の開口部に連続して形成したことを特徴とする請求項１記載の移動農機。
【請求項３】
燃料タンクの上面を前低後高に構成すると共に、給油量確認窓を前後方向に長い開口部で形成したことを特徴とする請求項１記載の移動農機。
【請求項４】
保護カバーの側面に燃料タンクの燃料の残量を確認するための残量確認窓を設けたことを特徴とする請求項１記載の移動農機。
【発明の詳細な説明】
【技術分野】
【０００１】
本発明は、機体上にエンジンを搭載した移動農機に係り、詳しくは、移動農機における燃料タンクの保護カバーに関する。
【背景技術】
【０００２】
従来より、各種、燃料タンクの保護カバーを備えた移動農機がある。（例えば、特許文献１参照。）
【特許文献１】実開平５−８９０５７号公報（図１、図４）。
【０００３】
前述のような移動農機の燃料タンクは、軽量化及び低コスト化の面から樹脂で一体成型されて構成されているものが多い。
この場合、特許文献１に開示されているように、燃料ゲージ取付用の取付座と給油口とを並べて備えた給油部を射出成型により一体成型し、燃料タンク本体とは別の部材として用意しておき、タンク本体の成型時又は成型後に燃料ゲージ取付用の取付座と給油口とを燃料タンク本体に取り付けるものである。
【発明の開示】
【発明が解決しようとする課題】
【０００４】
しかし、前述の燃料タンクにおいては、給油口とは別に燃料ゲージを取り付けるための取付座を別途、射出成型により一体成型しているため製造コストが高くなるという問題がある。
【０００５】
本発明の目的は、低コストで燃料タンクの給油量を容易に把握することにある。
【課題を解決するための手段】
【０００６】
本発明は、機体にエンジンと透過性を有する燃料タンクを配設してなる移動農機において、上記燃料タンクの上方に、該燃料タンクを覆って保護する保護カバーを設け、該保護カバーの上面には、上記燃料タンクの注入部に対応する位置に開口部を設けると共に、該開口部近傍に給油量確認窓を設けた移動農機を提供せんとするものである。
【０００７】
また、保護カバーの給油量確認窓を、燃料タンクの注入部に対応する位置の開口部に連続して形成したことを特徴とする移動農機を提供せんとするものである。
【０００８】
そして、燃料タンクの上面を前低後高に構成すると共に、給油量確認窓を前後方向に長い開口部で形成したことを特徴とする移動農機を提供せんとするものである。
【０００９】
さらに、保護カバーの側面に燃料タンクの燃料の残量を確認するための残量確認窓を設けたことを特徴とする移動農機を提供せんとするものである。
【発明の効果】
【００１０】
以上の構成に基づき、機体にエンジンと透過性を有する燃料タンクを配設してなる移動農機において、上記燃料タンクの上方に、該燃料タンクを覆って保護する保護カバーを設け、該保護カバーの上面には、上記燃料タンクの注入部に対応する位置に開口部を設けると共に、該開口部近傍に給油量確認窓を設けたことで、作業者が誤って燃料タンクの容量を超えて燃料を注入しようとするのを防止することで、燃料が燃料タンクから溢れ出るのを未然に防止することができる。つまり、給油量確認窓は、燃料が燃料タンク内で満杯近くになるのを防止するために設けられている。
【００１１】
また、保護カバーの給油量確認窓を、燃料タンクの注入部に対応する位置の開口部に連続して形成したことで、保護カバーに給油量確認窓を形成するのに工数を多くかけなくても給油量確認窓を保護カバーに形成することが可能である。
【００１２】
そして、燃料タンクの上面を前低後高に構成すると共に、給油量確認窓を前後方向に長い開口部で形成したことで、燃料タンクに燃料を注入する際に、燃料タンクの低い方から高い方に徐々に入るのが給油量確認窓から作業者が視認することが可能となる。
【００１３】
さらに、保護カバーの側面に燃料タンクの燃料の残量を確認するための残量確認窓を設けたことで、保護カバーを取り外さなくても燃料の残量の確認を残量確認窓から作業者が視認することができる。
【発明を実施するための最良の形態】
【００１４】
以下に、本発明の実施の形態について説明する。
【００１５】
本発明の一実施例を採用した歩行型農作業機は、基本的構造として、機体にエンジンを設け、同エンジンにミッションケースを連動連結し、同ミッションケースに左右一対の車軸を軸支持部材を介して回動自在に支持させ、両車軸の外側端部にそれぞれ走行車輪を取付け、両走行車輪の前方にロータリ装置を設け、該ロータリ装置の前方に昇降車輪を配設し、機体より後上方へ延設したハンドルを配置している。
【実施例】
【００１６】
以下に、本発明の実施例を図面を参照しながら説明する。
【００１７】
図１に示す１は、本発明に係る歩行型農作業機の本体であり、該本体１は、主作業装置としてのロータリ耕耘部２を具備している。
【００１８】
農作業機本体１は、図１に示すように、機体１０上にエンジン１１を搭載すると共に、同機体１０の下部に駆動ケース１２を連設しており、駆動ケース１２は、後下方へ向けて伸延するミッションケース１３と、同ミッションケース１３の上部より前下方へ向けて伸延する伝動ケース１４とを一体的に形成し、ミッションケース１３の下部に左右一対の車軸１５，１５を介して左右一対の走行車輪１６，１６を取付ける一方、伝動ケース１４の先端部に耕耘軸１７を左右方向に貫通させて設け、同耕耘軸１７に複数の耕耘爪１８を取付けてロータリ耕耘部２を形成している。
【００１９】
図２（ａ）（ｂ）（ｃ）に示すように、エンジン１１上部には透過性を有する燃料タンク２０を固定・支持する平面視Ｌ字状の支持板２１Ｌ、２１Ｒが左右に並列して、それぞれエンジン１１側に固定ボルトａ乃至ｄによって装着されている。他方、該支持板２１Ｌ、２１Ｒの上方には、燃料タンク２０が固定ボルトｅ乃至ｇによって取付けられている。そして、左右の該支持板２１Ｌ、２１Ｒ後部には左右に向かって後述する燃料タンク２０の保護カバー２２取付用のノブ付きボルト２３が取付けられるように構成されている。
【００２０】
燃料タンク２０は上下２体のブロー成形品からなり、それぞれのフランジ部を融着して合体し１個の容器をなし、上部には燃料を注入する注入部２０ａを有し、注入キャップ２０ｂを締めて蓋をしている。そして、燃料タンク２０の上方には、燃料タンク２０を覆って保護カバー２２を設け、該保護カバー２２の上面には、上記燃料タンク２０の注入部２０ａに対応する位置に開口部２２ｂを設けると共に、上記保護カバー２２の給油量確認窓２２ｄを、燃料タンク２０の注入部２０ａに対応する位置の開口部２２ｂに連続して形成している。
また、保護カバー２２の上面で、燃料タンク２０の注入キャップ２０ｂの後方には左右方向にリブ部２２ｆが形成されており、燃料を注入している際に、誤って零れた燃料が機体後方に散乱しないようになっている。
そして、燃料タンク２０の上面を前低後高に構成すると共に、給油量確認窓２２ｄを前後方向に長い開口部で形成している。
【００２１】
また、燃料タンク２０の前端中央には、保護カバー２２の前端中央の内面に設けられた差し込み部２２ａが差し込めるように凹部状の孔２０ｃが形成されている。
【００２２】
即ち、透過性を有する燃料タンク２０の上方を覆う保護カバー２２の取付構成は、最初に燃料タンク２０の前端中央に設けられた凹部状の孔２０ｃに、保護カバー２２の前端中央に設けられた差し込み部２２ａを差し込む。次に、差し込み部２２ａを中心として保護カバー２２の後方を上方から下方に向けて回動させて、燃料タンク２０の注入部２０ａに対応する位置に設けられた保護カバー２２の開口部２２ｂを貫通させて、保護カバー２２の左右後方下端に設けられた切欠き部２２ｃの外側からノブ付きボルト２３によって左右両方から締め付けることによって燃料タンク２０に対して保護カバー２２を強固に締め付け固定することが出来る。
【００２３】
そして、保護カバー２２の開口部２２ｂ近傍には、燃料供給時、必要以上に燃料タンク２０に燃料を供給して燃料タンク２０から溢れ出るのを未然に防止するための給油量確認窓２２ｄが設けられており、燃料タンク２０の上面を前低後高に構成して、給油量確認窓２２ｄを前後方向に長い開口部で形成されていることによって、燃料タンク２０の前方から後方、つまり給油口に近づくに従って満杯になるようになっている。
【００２４】
また、保護カバー２２の右側面には燃料の残量が視認出来るように残量確認窓２２ｅが設けられている。それにより、燃料が少なくなって来たことが保護カバー２２を燃料タンク２０から外さなくても容易に視認することが出来る。
【００２５】
また、農作業機本体１には、図１に示すようにハンドル３０を設けており、同ハンドル３０は、ミッションケース１３の左右側壁上部より後上方へ向けて伸延させた左右一対のハンドル基部体３１，３１と、各ハンドル基部体３１，３１の後端部に前端部を接続して後上方へ伸延させた左右一対のハンドル本体３２，３２と、両ハンドル本体３２，３２の後端間に横架状に一体成形した把持部形成体３３とからループ状に形成している。
３３ａはクラッチレバーであって、ハンドル３０の把持部形成体３３と一緒に把持することで、走行クラッチ機構の動力接続状態を保持したまま、作業を行なうことができる。
そして、クラッチレバー３３ａを離せば、同クラッチレバー３３ａは回動付勢力により起立状態に復元して、クラッチ機構を動力切断状態に保持し走行が停止する。
【００２６】
さらに、ハンドル本体３２の前方中央には、走行変速とロータリ変速の切換操作を行なう左右に傾動自在な操作レバー４が後傾状に傾斜されており、図示しないが「後進」、「中立」、「移動」、「耕す」、及び「その場で耕す」の各々の位置に対応した横方向へ自由に移動可能な幅のレバーガイド溝部を有するレバーガイドパネル５がハンドル基部体３１，３１に取付けられている。
そして、左側より順に「後進、中立、移動、耕す、その場で耕す」（図示せず）の表示がされていて、前記操作レバー４を左右方向の各表示位置にセットすることにより、各動力伝動操作が行えるようになっている。
【００２７】
また、ロータリ耕耘部２は耕耘爪１８の回転軌跡の上方から前方をロータリーカバー４０で覆われる。
ロータリーカバー４０は、伝動ケース１４の中途部に固定され後側を把手部４０ａに兼用して延長される取付杆４０ｂに取付支持される。
即ち、取付杆４０ｂは先端部を平面視でコ字状に形成しロータリーカバー４０から後側に突出させて、機体を持ち上げる際に把持することができる把持部４０ａにすることができる。
【００２８】
また取付杆４０ｂは、その後側を伝動ケース１４の先端部と連結枠Ｘで連結することにより剛体構造で支持され、この連結枠Ｘは、昇降車輪４１を軸支する昇降車輪支持アーム４１ａを回動調節可能（高さ調節可能）に設けている。
【００２９】
これにより、昇降車輪４１を図１の実線の状態から最下位にセットすると、走行車輪１６、１６との間でロータリ耕耘部２を地面から離間する方向に浮上支持することができ、スムーズな路上走行を行うことができる。また、昇降車輪４１を上方に順次位置決め固定すると、走行車輪１６、１６の接地位置に基づきロータリ耕耘部２を段階的に下げることができ、耕耘深さを順次深くした耕耘作業を行うことができる。
【００３０】
上記ロータリ耕耘部２は、図１に示すように、耕耘爪１８を放射状にそれぞれ取着した耕耘軸１７を機体中央に配設される伝動ケース１４の左右側方に延出し、前記操作レバー４の切換操作により切り換えられたエンジン１１の回転動力を伝動ケース１４から耕耘軸１７に伝達して耕耘爪１８を正回転駆動している。
【００３１】
以上の構成のもので、作業者がエンジンを始動して機体１を走行させて農作業を行う場合、前記昇降車輪４１を図１で記載の如く、前記ロータリ耕耘部２が最も低くなる位置にセットすると共に、操作レバー４の位置をレバーガイドパネル５の移動位置に合わせて、ハンドル３２先端に装着されたクラッチレバー３３ａを握って図１の実線位置とすれば、図示しない動力伝動装置が駆動されて、機体１が前進するものであり、逆に後進したい時には、前記操作レバー４の位置をレバーガイドパネル５の後進位置にセットし、前記と同様にクラッチレバー３３ａを握れば、機体１は後進するものである。
【００３２】
本発明によれば、機体１０にエンジン１１と透過性を有する燃料タンク２０を配設してなる移動農機において、上記燃料タンク２０の上方に、該燃料タンク２０を覆って保護する保護カバー２２を設け、該保護カバー２２の上面には、上記燃料タンク２０の注入部２０ａに対応する位置に開口部２２ｂを設けると共に、該開口部２２ｂ近傍に給油量確認窓２２ｄを設けたことで、作業者が誤って燃料タンク２０の容量を超えて燃料を注入するのを未然に防止することで、燃料が燃料タンク２０から溢れるのを防ぐことが出来る。
また、保護カバー２２の給油量確認窓２２ｄを、燃料タンク２０の注入部２０ａに対応する位置の開口部２２ｂに連続して形成したことで、保護カバー２２に給油量確認窓２２ｄを形成するのに工数を多くかけなくても安価に給油量確認窓２２ｄを保護カバー２２に形成することが可能である。
そして、燃料タンク２０の上面を前低後高に構成すると共に、給油量確認窓２２ｄを前後方向に長い開口部で形成したことで、燃料タンク２０に燃料を注入する際に、燃料タンク２０の低い方から高い方に徐々に入るのが給油量確認窓２２ｄから作業者が視認することが可能である。
さらに、保護カバー２２の側面に燃料タンク２０の燃料の残量を確認するための残量確認窓２２ｅを設けたことで、保護カバー２２を取り外さなくても燃料の残量の確認を残量確認窓２２ｅから作業者が視認することが出来る。
【図面の簡単な説明】
【００３３】
【図１】本発明に係る歩行型農作業機の側面図である。
【図２】（ａ）は本発明の燃料タンクと保護カバーの取付状態を示す右側面図、（ｂ）は本発明の燃料タンクと保護カバーの取付状態を示す左側面図、（Ｃ）は本発明の燃料タンクと保護カバーの取付状態を示す正面図である。
【図３】（ａ）は保護カバーの右側面図、（ｂ）は保護カバーの左側面図、（ｃ）は保護カバーの平面図である。
【符号の説明】
【００３４】
１１        エンジン
２０        燃料タンク
２０ａ      注入部
２２        保護カバー
２２ｂ      開口部
２２ｄ      給油量確認窓
２２ｅ      残量確認窓
【図１】
2006327510.tif 000003
【図２】
2006327510.tif 000004
【図３】
2006327510.tif 000005